(57)【要約】【課題】裸の光ファイバ同士を当接して光結合させる光ファイバコネクタにおける光ファイバの心線毎の交換を実現し、光ファイバコネクタを実装した光ファイバ配線板の歩留まり向上を実現し、光ファイバコネクタと光ファイバ配線板を利用した大規模光配線における低コスト化を実現する。【解決手段】複数本のファイバを片持ち梁に保持している光ファイバコネクタプラグ１００において、ファイバ２０５のうち１本が折れてしまっても簡単に交換が可能なように、プラグ内でファイバを保持している光ファイバ単心保持部材１０１を取り外し可能な構造とし、かつファイバ１本ずつをそれぞれの取り外し可能な光ファイバ単身保持部材で保持した構造となっている。光ファイバ配線板に、本光プラグを取り付け、他の光プラグとアダプタ内で嵌合させ光結合を容易にならしめる。【選択図】　　　　図５
2004109949.tif 000002
【特許請求の範囲】
【請求項１】
光ファイバを細径孔内で光ファイバ自身の座屈による弾性復元力によって光ファイバ端面同士をＰＣ接続させる、または光ファイバ端面と光導波路端面をＰＣ接続させる光ファイバコネクタのプラグであって、
１本づつ光ファイバを保持する複数の光ファイバ単心保持部材と、
前記複数の光ファイバ単心保持部材が個別に取り外し可能に装着されるプラグハウジングと
を有することを特徴とする光ファイバコネクタのプラグ。
【請求項２】
前記光ファイバ単心保持部材の溝に光ファイバを設置したとき、該光ファイバ単心保持部材の溝の側壁が光ファイバの直径よりも高いことを特徴とする請求項１に記載の光ファイバコネクタのプラグ。
【請求項３】
前記光ファイバ単心保持部材の溝の断面形状がＶ字形、または半円形、あるいは四角形のいずれかであることを特徴とする請求項２に記載の光ファイバコネクタのプラグ。
【請求項４】
前記複数の光ファイバ単心保持部材はそれぞれその下部に切り込み部を有し、該切り込み部が嵌る構造をもった整列部材に該切り込み部を嵌めることで前記光ファイバ単心保持部材を該整列部材に収納し、さらに該整列部材を前記プラグハウジングに設置することを特徴とする請求項１ないし３のいずれかに記載の光ファイバコネクタのプラグ。
【請求項５】
前記細径孔の端部が外側に開くテーパ状の形状であることを特徴とする請求項１に記載の光ファイバコネクタのプラグ。
【請求項６】
請求項１ないし５のいずれかに記載の前記光ファイバコネクタのプラグを備えたことを特徴とする光ファイバ配線板。
【発明の詳細な説明】
【０００１】
【発明の属する技術分野】
本発明は、裸の光ファイバ同士を当接して光結合させる光コネクタのプラグとそれを用いた光ファイバ配線板に関する。
【０００２】
【従来の技術】
従来から、光ファイバを細径孔で光ファイバ自身の座屈による弾性復元力によって光ファイバ端面同士を加圧密着、すなわちＰＣ（Ｐｈｙｓｉｃａｌ　Ｃｏｎｔａｃｔ：物理的接触）接続させるＦＰＣ（Ｆｉｂｅｒ　Ｐｈｙｓｉｃａｌ　Ｃｏｎｔａｃｔ：ファイバ物理的接触）コネクタ（例えば、特許文献１参照）や、光ファイバと光導波路端面をＰＣ接続するＰＬＣ（Ｐｌａｎａｒ　Ｌｉｇｈｔｗａｖｅ　Ｃｉｒｃｕｉｔｓ：平板型光導波路回路）コネクタ（例えば、特許文献２を参照）が提供されている。光ファイバと光ファイバを接続する際には、ＦＰＣコネクタを使用し、光ファイバ配線板と光導波路端面を接続する際には、ＰＬＣコネクタを使用している。
【０００３】
従来のＦＰＣコネクタの一例を図１５の分解斜視図および図１６の組立図で示し、図１７にそのＦＰＣコネクタのプラグの模式図を示す。従来のＦＰＣコネクタは、良好な光学特性を得るために接続端面２がテーパ加工と研磨加工された光ファイバ１を用い、その光ファイバ１が取り付けられるプラグ３，４が２つと、それらプラグ３、４に取り付けられた光ファイバ１の軸を調心するためのアダプタ５と、プラグ３，４とアダプタ５を一体化するためのクリップ６とから構成されている。
【０００４】
まず、一方の光ファイバ１をプラグ３の保持部７に固定し、端面加工したその光ファイバ１の先端をアダプタ５の細径孔９の一方から挿入し、もう一つのプラグ４の保持部８に取り付けられた光ファイバ１の先端も同様にアダプタ５の細径孔９の一方から挿入して、クリップ６により全体を固定することで、両光ファイバ１，１を接続する。このとき、プラグ３、４のどちらか一方において、光ファイバ１（または１）をその先端がプラグ３（または４）から若干の距離だけ突き出すようにプラグの保持部７（または８）に保持することで、その光ファイバ１（または１）の先端部で座屈１０が生じ、この座屈１０による弾性復元により光ファイバはＰＣ接続する。図１５に示したように、アダプタ５の細径孔９の両端入り口には、光ファイバ挿入の位置精度を緩和するために、テーパ加工１１をしている。
【０００５】
図１７に上記のＦＰＣコネクタのプラグ３（または４）の外観構成を示す。プラグ３（または４）には光ファイバ保持部７（または８）が一体成形されており、その光ファイバ保持部の上部には光ファイバ保持用の複数の平行溝１２がプラグの長手方向に形成されている。なお、ここでは、ＦＰＣコネクタを例示しているが、ＦＰＣコネクタとＰＬＣコネクタにおいて、プラグの構造は共通である。
【０００６】
図１８には、複数の光ファイバ１を光ファイバ保持部７（または８）の溝１２に固定したＦＰＣコネクタプラグ３（または４）の状態を示す。ＦＰＣコネクタプラグにおいて、プラグ３（または４）に一体成形として作製された溝１２に予め被覆（例えば、ポリマ被覆）１３を除去しておいた光ファイバ１を設置し、その上部から接着剤を滴下して、光ファイバ１を溝１２へ一括して固定することで、光ファイバ１をプラグ３（または４）に保持する構造となっている。
【０００７】
このようにして、光ファイバ１をプラグ３（または４）へ実装後に、光学特性の検査を行い、光ファイバコネクタプラグとして合否を判定する。このプラグを光ファイバ配線板（例えば、特許文献３を参照）に装着する場合においても、同様の加工、検査を繰り返して、光ファイバ配線板へ必要数のＦＰＣコネクタプラグを実装する。また、光ファイバ配線板に装着する光ファイバコネクタとしては、ＳＣ型、ＭＵ型コネクタのような単心コネクタやＭＴ型コネクタのような多心コネクタも使用する場合もある。
【０００８】
単心コネクタを用いる場合には、光ファイバを光ファイバ径よりもわずかに大きな内径をもつフェルール（図示しない）に挿入し、これを接着剤により固定してフェルールと光ファイバの端面を加工する。ＭＴ型コネクタにおいては、多心の穴が形成されたフェルールに多心光ファイバアレイを挿入して、これらを接着剤により固定して、単心コネクタと同様な加工により光ファイバを実装する。
【０００９】
【特許文献１】
特開平１１−３５２３６０号公報
【００１０】
【特許文献２】
特開平１０−２２１５５９号公報
【００１１】
【特許文献３】
特開平１１−１１９０３３号公報
【００１２】
【発明が解決しようとする課題】
上記のように、従来の光ファイバコネクタでは、裸の光ファイバ１を当接時に座屈させ、座屈したファイバの復元力によりファイバ端面同士を押し付けて光結合させている。裸のファイバ（φ１２５μｍ）はアダプタ５に設けた穴（細径孔φ１２６μｍ程度）９の中で当接させられている。この裸のファイバ１は折れやすいため、表面に５μｍ厚のポリマ層１３を被覆させてある。
【００１３】
ところで、光ファイバの光ファイバコネクタへの実装工程での加工ミスによる光ファイバの破断や、加工後の光学特性検査によって不良心線が判明する場合がある。しかしながら、従来の光ファイバコネクタでは、図１８に示したように、プラグ３（または４）に形成された溝１２に接着剤（図示しない）により光ファイバ１が固定されているため、不良心線のみを取り替えることができない。図１８に示したＦＰＣコネクタ以外の他の多心コネクタにおいても、不良心線のみの取り替えは同様に不可能である。そのため、従来では、例えば多心テープファイバに光ファイバコネクタを実装している場合に、これらの破断、特性不良等が発生したときは、不良心線を含む光ファイバコネクタの実装途中や実装済みの多心テープファイバを破棄して再度、光ファイバ端面加工、プラグ組立から作製をやり直していた。そのテープファイバの規模は１心から１６心程度であり、その程度心数の規模であれば、コネクタ作製失敗や光学特性不良の可能性は小さく、コストへの影響は小さかった。
【００１４】
しかしながら、光ファイバコネクタを光ファイバ配線板端部に装着する場合においては、破断、特性不良等の問題が１心でも発生したときは、光ファイバ配線板内に含む光ファイバ心数の規模が大きくなるに従い、光ファイバ配線板から再度作製することがコスト増大の点から解決すべき点となっていた。
【００１５】
また、不良の光ファイバを含む光ファイバコネクタを光ファイバ配線板端部から切断し、改めて光ファイバの加工、プラグを再度装着する方法もあるが、光ファイバ配線板はプリント基板上やキャビネットでの使用する際には収納密度、実装効率から加工ミス等に備えて余長を持たせることが難しく、不良心線を含んだ光ファイバ配線板を再利用して光ファイバコネクタを実装することが難しかった。そのため、従来では、光ファイバ配線板への光ファイバコネクタ実装において、１心でも不良心線が発生した場合には、再度光ファイバ配線板を作製し、光ファイバ端面加工、プラグ装着をやり直していた。１００本以上の光ファイバを含むような大規模な光ファイバ配線板になるほど、光ファイバ加工や光ファイバコネクタ装着作業ミス等により１心程度の不良心線を含む可能性が高くなるため、使用できない光ファイバ配線板となる可能性が高い。
【００１６】
このように、従来技術においては、光ファイバ配線板に光ファイバコネクタを装着するときの加工ミスや光学特性不良による再加工は、作業時間が増大し、光ファイバ配線板と光ファイバコネクタを利用した配線を構築する上でのコスト高の要因となっていた。たとえ作業ミスのない組立加工を行ったとしても、作業時間が著しく増大し、やはりコスト高が問題となる。この課題は、単心コネクタ、多心コネクタに限らず、光ファイバコネクタを光ファイバ配線板に実装する上で早急に解決すべき点であった。
【００１７】
本発明は、上記の課題を解決すべくなされたものであり、光ファイバコネクタにおける光ファイバの心線毎の交換を実現し、光ファイバコネクタを実装した光ファイバ配線板の歩留まり向上を実現し、光ファイバコネクタと光ファイバ配線板を利用した大規模光配線における低コスト化を実現することを目的としている。
【００１８】
【課題を解決するための手段】
上記目的を達成するため、本発明の光ファイバコネクタのプラグは、光ファイバを細径孔内で光ファイバ自身の座屈による弾性復元力によって光ファイバ端面同士をＰＣ接続させる、または光ファイバ端面と光導波路端面をＰＣ接続させる光ファイバコネクタのプラグであって、１本づつ光ファイバを保持する複数の光ファイバ単心保持部材と、前記複数の光ファイバ単心保持部材が個別に取り外し可能に装着されるプラグハウジングとを有することを特徴とする。
【００１９】
ここで、前記光ファイバ単心保持部材の溝に光ファイバを設置したとき、該光ファイバ単心保持部材の溝の側壁が光ファイバの直径よりも高いことを特徴とすることができる。
【００２０】
また、前記光ファイバ単心保持部材の溝の断面形状がＶ字形、または半円形、あるいは四角形のいずれかであることを特徴とすることができる。
【００２１】
また、前記複数の光ファイバ単心保持部材はそれぞれその下部に切り込み部を有し、該切り込み部が嵌る構造をもった整列部材に該切り込み部を嵌めることで前記光ファイバ単心保持部材を該整列部材に収納し、さらに該整列部材を前記プラグハウジングに設置することを特徴とすることができる。
【００２２】
また、前記細径孔の端部が外側に開くテーパ状の形状であることを特徴とすることができる。
【００２３】
さらに、本発明は、前記光ファイバコネクタのプラグを備えた光ファイバ配線板を特徴とすることができる。
【００２４】
本発明では、複数本の光ファイバを片持ち梁に保持している光ファイバのコネクタにおいて、光ファイバ保持部材をプラグハウジング部材に対して取り外し可能な別部材とし、かつ一本毎に各光ファイバ保持部材で単心の光ファイバを保持し、これらの光ファイバ単心保持部材をプラグハウジング部材に収納する構成としたので、光ファイバのうち１本が折れてしまっても簡単に交換が可能である。
【００２５】
【発明の実施の形態】
以下、図面を参照して本発明の実施の形態を詳細に説明する。
（第１の実施形態）
図１に本発明の一実施形態における単心毎交換可能光ファイバコネクタプラグの全体構成を示し、図２にその組み立て時の状態を示す。この光ファイバコネクタプラグ１００は、光ファイバを２５０μｍピッチで１６心保持できる。光ファイバコネクタプラグ１００は、単心の光ファイバを固定する１６個の光ファイバ単心保持部材１０１と、並行な一対の板状体を有するプラグハウジング１０３から構成され、１６個の光ファイバ単心保持部材１０１をプラグハウジング１０３の光ファイバ単心保持部材設置部１０５内に収納する。光ファイバ単心保持部材設置部１０５は、プラグハウジング１０３の後方側に一体成形され、１６個の光ファイバ単心保持部材１０１を固定するための底部と両端の縁部（ストッパ）を有する。１６個の光ファイバ単心保持部材１０１は、個別に１個づつ取り外すことが可能であり、それぞれの頭部（上端部）に単心の光ファイバを固定するための断面Ｖ形，あるいは断面半円径等の溝が形成されている。
【００２６】
図１に示したプラグ１００に、１６心の光ファイバを実装したものを図３に示す。プラグ１００への光ファイバ２００の実装手順としては、図４に示すように、プラグハウジング１０３へ光ファイバ単心保持部材１０１を取り外し可能に設置して、その後、プラグ１００に実装する長さ分だけ被覆２０３を除去し、端面をテーパ加工と研磨加工済みの光ファイバ２０５を光ファイバ単心保持部材１０１の溝内へ設置して、ファイバ２０５を溝に接着剤により固定する。
【００２７】
光ファイバ２０５は１６心でテープ化（仮止めで平紐状に一体化）されているため、一度の作業で１６心全てをそれぞれの固定部材（光ファイバ単心保持部材）１０１へ設置できる。光ファイバ２０５を光ファイバ単心保持部材１０１へ接着剤（図示しない）により固定するとき、隣り合う光ファイバ単心保持部材や光ファイバ単心保持部材とプラグハウジング１０３が接着剤により固定しないように、適量の接着剤を滴下する必要がある。
【００２８】
その後、光ファイバ２０５を実装したプラグ１０１の光学測定をおこない、光学特性の悪い心線が１心のみ判明した場合には、図５に示すように光学特性の悪い光ファイバ（不良心線）２５５が固定された光ファイバ単心保持部材１５１を除く。プラグ１００内で片持ち梁となっている光ファイバ２０５の部分や被覆２０３のある光ファイバをピンセット等（図示しない）により上部から掴むことで、所望の光ファイバ単心保持部材１５１を抜き出すことが可能である。
【００２９】
不良心線２５５を含む光ファイバ単心保持部材１５１を取り除いた後に、図６に示すように、その取り除いた位置に再び新たな単心光ファイバ単心保持部材１６１を挿入し、新たに加工した光ファイバ２６５をその光ファイバ単心保持部材１６１へ接着剤により固定することで、プラグ１００における心線交換が実現する。
【００３０】
以上のように、光ファイバコネクタのプラグ１００において、プラグハウジング１０３に光ファイバ単心保持部材１０１を取り外し可能に収納する構成とすることで、光ファイバ２００をプラグに接着後も、所望の光ファイバのみを交換可能となる。
【００３１】
次に、図７に光ファイバ単心保持部材１０１の断面図を示す。図７に示すように、光ファイバ単心保持部材１０１において溝部３０２の側壁は高くすることが望ましい。接着剤３０１を滴下したとき、接着剤の隣の光ファイバ単心保持部材へ溢れた接着剤が流れて、光ファイバ単心保持部材同士が接着すると、後で、所望の光ファイバ単心保持部材１０１だけを抜き出すことが不可能となるためである。側壁３０２Ａの高さは、溝３０２に設置した光ファイバ２０５の直径よりも０．０５ｍｍ以上高くすることが望ましい。光ファイバ固定部の溝における断面形状については、図７に示したＶ形溝３０２のほかに、図８に示す半円径溝（またはＵ形溝）３０３、図９に示す四角形溝３０４等がある。
【００３２】
（第２の実施形態）
光ファイバ配線板の端部へ本発明による上述の光ファイバコネクタプラグ１００を装着した模式図を図１０に示す。図１０は、粘着層を表面に施したフィルム上に光ファイバをパタンどおりに１本ずつ配線した光ファイバ配線板４００に、１６心光ファイバコネクタが２個装着された配線部の模式図である。光ファイバコネクタは、図１に示した単心交換可能光ファイバコネクタプラグを使用している。
【００３３】
単心交換可能光ファイバコネクタを光ファイバ配線板４００に使用した場合においても、図１１、図１２に示す手順によって不良心線２５５の交換が実現する。図１１に示すように、光ファイバ配線板４００の端部に装着したプラグ１００に取り付けられた光ファイバ心線を交換するときは、不良心線２５５は両端２箇所のプラグ１００、１００に接着しているため、通例は、図１２に示すように、両端の光ファイバコネクタプラグ１００、１００において心線交換をすることになる。それぞれの心線交換の詳細は図５および図６を用いて前述したと同様である。また、これに代わり、不良心線２５５がある片方のプラグ１００においてのみ心線交換をおこなうこととし、光ファイバ配線板４００中にある光ファイバを切断して心線を交換後に、その交換した心線端部と切断した残りである光ファイバ配線板４００中の光ファイバ端部を融着接続により接続して光ファイバ配線板に収納することもできる。
【００３４】
上記単心交換可能光ファイバコネクタプラグ１００においても、光ファイバの接続構造は従来のＦＰＣコネクタと同様であり、アダプタは従来のＦＰＣコネクタのアダプタと同じものを使用できる。従来例の図１５、図１６に示したように、ＦＰＣコネクタでは、プラグ１００に固定された光ファイバ２０５は、アダプタ５の整列孔（細径孔）９に挿入され、ＰＣ接続する。ファイバコネクタプラグ１００を、プラグハウジング１０３と光ファイバ単心保持部材１０１のように、一個づつ個別に取り外し自在の分離構成とすることにより、プラグ心数２０５が増大するにつれて、光ファイバ単心保持部材１０１の形状誤差が累積し、プラグ１００とアダプタ５とを接続する際に、光ファイバ単心保持部材１０１のアレイの端部においてはアダプタ整列孔９に対する光ファイバの位置誤差が増大することが考えられる。しかしながら、図１５、図１６に示したように、整列孔９の入り口１１はテーパ加工され、このテーパ構造により、光ファイバ挿入における光ファイバの整列孔９に対する位置誤差を吸収することができる。そのため、プラグ心数が３２心、６４心程度までは、光ファイバ単心保持部材の精度を従来の成型の精度程度で対応可能である。
【００３５】
（第３の実施形態）
図２に示したプラグの組立においては、光ファイバ単心保持部材１０１をプラグハウジング１０３へ収納するときのハンドリングが難しいことが考えられる。そこで、本発明の第４の実施形態では、図１３に示すように、光ファイバ単心保持部材１０１の下部に切り込み部５０１を設けて、切り込み部５０１を整列部材５０３に嵌め込み、これにより予め光ファイバ単心保持部材１０１を整列させた上で、図１４に示すように、これらをプラグハウジング１０３の光ファイバ単心保持部材設置部１０５に設置する。このようにすることで、複数個の光ファイバ単心保持部材１０１をひとつひとつプラグハウジング１０３に設置する図２の実施形態の場合に比べて、光ファイバ単心保持部材１０１のハンドリングを改善することができる。
【００３６】
また、上記の切り込み部５０１は光ファイバ固定材である光ファイバ単心保持部材１０１の下部に形成されているため、上方からその光ファイバ単心保持部材１０１を抜き出すときに、それを整列部材５０３が遮ることがない構造となっている。
【００３７】
単心交換可能光ファイバコネクタプラグ１００において、単心交換後にプラグ中の全ての光ファイバ２０５の光学特性が合格と判断されたときは、光ファイバ単心保持部材１０１を接着剤によりプラグハウジング１０３に固定する。これらプラグ１００を光ファイバ配線板４００に使用したときは、光ファイバ配線板４００内の全ての光ファイバ２０５が合格であると判断したとき、全てのプラグ１００において光ファイバ単心保持部材を１０１接着剤によりプラグハウジング１０３に固定する。
【００３８】
（他の実施形態）
上述した本発明の実施形態は、好ましい具体例を例示したものであって、本発明はこれに限定されず、特許請求の範囲に記載された範囲内での変形や変更、均等物による置換等は本発明に含まれる。
【００３９】
【発明の効果】
以上説明したように、本発明によれば、光ファイバを細径孔を挿入し光ファイバ自身の座屈による弾性復元力によって光ファイバ端面同士、または光ファイバ端面と光導波路端面とを加圧密着することで、ＰＣ接続させるＦＰＣ、ＰＬＣコネクタにおけるプラグにおいて、複数の光ファイバ単心保持部材と単一のプラグ部材とを１個ずつ取り外し可能な別部材とし、各光ファイバ単心保持部材で光ファイバ単心を固定するようにしたので、光ファイバコネクタ組み立て工程終了後も、任意の光ファイバ単心毎の光ファイバ心線の交換が可能となる。
【００４０】
特に、光ファイバ配線板の端部に光ファイバコネクタプラグを用いる場合には、本発明によれば、上記構成のため不良心線のみを容易に交換でき、従来の加工失敗時には破棄せざるを得なかった光ファイバ配線板はそのまま使えるため、大規模光配線においてコストを抑えることができる。
【００４１】
また、本発明によれば、光ファイバ保持部材を単心毎に分離した構造としたので、光ファイバ配線板の規模が大きくなるほど、他の多心コネクタにくらべ歩留まり、コストの差が大きくなる効果がある。
【図面の簡単な説明】
【図１】本発明の一実施形態における単心交換可能光ファイバコネクタプラグの構成を示す模式的斜視図である。
【図２】図１の単心交換可能光ファイバコネクタプラグの組立時の状態を示す模式的斜視図である。
【図３】図１の単心交換可能光ファイバコネクタプラグに光ファイバを接着した状態を示す模式的斜視図である。
【図４】図１の単心交換可能光ファイバコネクタプラグへ光ファイバを実装する状態を示す模式的斜視図である。
【図５】図３の単心交換可能光ファイバコネクタプラグから任意の光ファイバ単心保持部材を抜き出す状態を示す模式的斜視図である。
【図６】図５の単心交換可能光ファイバコネクタプラグに交換の光ファイバ単心保持部材を挿入する状態を示す模式的斜視図である。
【図７】本発明の一実施形態における光ファイバを接着した光ファイバ単心保持部材の断面形状を示す断面図である。
【図８】本発明の一実施形態における光ファイバを接着した光ファイバ単心保持部材の他の断面形状を示す断面図である。
【図９】本発明の一実施形態における光ファイバを接着した光ファイバ単心保持部材の更に他の断面形状を示す断面図である。
【図１０】本発明の一実施形態における光ファイバ配線板へ単心交換可能光ファイバコネクタプラグを実装した状態を示す模式的斜視図である。
【図１１】図１０の光ファイバ配線板へ実装した単心交換可能光ファイバコネクタプラグから任意の光ファイバ単心保持部材を抜き出す時の状態を示す模式的斜視図である。
【図１２】図１１の光ファイバ配線板へ実装した単心交換可能光ファイバコネクタプラグに交換用の光ファイバ単心保持部材を挿入する状態示す模式的斜視図である。
【図１３】本発明の他の実施形態における光ファイバ単心保持部材と整列部材とを組立るときの状態を示す模式的斜視図である。
【図１４】図１３の整列部材へ収納された光ファイバ単心保持部材をプラグハウジングへの組立るときの状態を示す模式的斜視図である。
【図１５】従来のＦＰＣコネクタの一例を示す分解斜視図である。
【図１６】従来のＦＰＣコネクタの一例を示す組立図である。
【図１７】従来のＦＰＣコネクタプラグを示す模式的斜視図である。
【図１８】複数の光ファイバを光ファイバ保持部の溝に固定した従来のＦＰＣコネクタプラグの状態を示す模式的斜視図である。
【符号の説明】
１　光ファイバ（光ファイバ心線）
２　接続端面（光ファイバ端面）
３，４　プラグ
５　アダプタ
６　クリップ
７、８　光ファイバ保持部
９　細径孔
１０　座屈部
１１　細径孔の先端のテーパ部
１２　溝
１３　被覆
１００　単心交換可能光ファイバコネクタプラグ
１０１　光ファイバ単心保持部材
１５１　不良心線を保持する光ファイバ単心保持部材
１６１　挿入する光ファイバ単心保持部材
１０３　プラグハウジング
１０５　光ファイバ単心保持部材設置部
２００　光ファイバ
２０３　被覆
２０５　光ファイバ（被覆を取り除いた光ファイバ心線）
２５５　不良心線
２６５　挿入する光ファイバ
３０１　接着剤
３０２　溝（Ｖ形溝）
３０２Ａ　溝の側壁
３０３　溝（半円径溝）
３０４　溝（四角形溝）
４００　光ファイバ配線板
５０１　切り込み部
５０３　整列部材
【図１】
2004109949.tif 000003
【図２】
2004109949.tif 000004
【図３】
2004109949.tif 000005
【図４】
2004109949.tif 000006
【図５】
2004109949.tif 000007
【図６】
2004109949.tif 000008
【図７】
2004109949.tif 000009
【図８】
2004109949.tif 000010
【図９】
2004109949.tif 000011
【図１０】
2004109949.tif 000012
【図１１】
2004109949.tif 000013
【図１２】
2004109949.tif 000014
【図１３】
2004109949.tif 000015
【図１４】
2004109949.tif 000016
【図１５】
2004109949.tif 000017
【図１６】
2004109949.tif 000018
【図１７】
2004109949.tif 000019
【図１８】
2004109949.tif 000020